(57)【特許請求の範囲】
【請求項１】
本体内部に収容され被調理物を加熱調理する加熱庫と、該加熱庫の前面に形成された開口部を引き出し式に開閉するドアと、加熱庫に収容される受皿と、本体定位置で加熱庫の外側に固定された固定レールおよび受皿を出し入れするための可動レールを有するレールユニットと、該レールユニットの可動レールを連結し端部に前記ドアを係止するドア支持体と、該ドア支持体に係止もしくは固定され受皿を支持する受皿支持体と、前記ドアを閉じるときに前記可動レールを引込むための引込み手段を加熱庫の外側に備え、該引込み手段は前記可動レールに第１の磁石を設け、本体または前記固定レールに第２の磁石を設け、各々の前記磁石が対向するように配して磁石の吸引力を用いて引き込むとともに、ドアの引込み時の衝撃を緩和するための減速手段を加熱庫の外側に前記引込み手段とは別体に設け、前記ドアの閉位置近傍において前記引込み手段の引込み作用と前記減速手段の減速作用が同時に作用するようにした加熱調理器。
【請求項２】
前記減速手段は、流体の摩擦抵抗を利用したピストン式のダンパーを用いた請求項１に記載の加熱調理器。
【請求項３】
前記レールユニットと前記減速手段の互いの接触部分に磁石を反発するよう対向して設け、非接触により減速をおこなう請求項１または２に記載の加熱調理器。
【請求項４】
前記減速手段は、流体の摩擦抵抗を利用したギア式のダンパーを用い、レールユニットにギア式のダンパーとかみ合うための歯車機構を設けた請求項１に記載の加熱調理器。
【発明の詳細な説明】
【技術分野】
【０００１】
本発明は、一般的にロースターと呼ばれる主に魚類を加熱調理する加熱調理器に関するものであり、特に、単体もしくは加熱庫に加え、誘導加熱調理器等のコンロを天面に設け、システムキッチンのカウンターに組み込んで用いる組み込み式の加熱調理器に関するものである。
【背景技術】
【０００２】
従来、この種の加熱調理器は、加熱庫への被調理物の出し入れは、引き出し式のドアを人の手による開閉動作によってなされるものが一般的であり、近年ではスライドレールを用いて摺動性を向上させたものも増えてきている。
【０００３】
図５は従来の加熱調理器の断面図であり、スライドレールを用いていない従来の基本的な構成を示すものである。
【０００４】
図５に示すように、被加熱調理容器１０１を載置する天板１０２と、外郭を形成する本体１０３と、天板１０２の下方に位置する誘導加熱コイル１０４と、誘導加熱コイル１０４の下方に位置する上加熱体１０５と、下加熱体１０６を内蔵した調理庫１０７および調理物１０８を載置する焼網１０９および焼網１０９を載置するとともに調理庫１０７より出し入れ自在に設けた受皿１１０および調理庫１０７の後方に設けた排気筒１１１および調理庫１０７の外周に設けられた遮熱ケース１１２と、加熱調理した調理物１０８の出し入れを行う開口部にはドア１１３とから構成されている。
【０００５】
その他、図示はしないが、本体１０３の内部に配置した駆動回路および冷却ファンと、本体１０３の前方あるいは上方に操作部を配置されている。
【０００６】
このような加熱調理器おいて、調理物１０８の出し入れは、ドア１１３を人の手によっての開閉動作なされるものであり、受皿１１０はドア１１３に連動して動作するものである。
【０００７】
ここで受皿１１０は、調理物の汚れが取れやすく耐熱性・耐食性に優れたホーロー処理や塗装処理を施したものが一般的であり、調理庫１０７は、ホーロー処理や塗装処理を行っているものや、表面処理鋼板やステンレス鋼板等の耐熱・耐食性の優れた鋼板の生地そのままのものもある。
【０００８】
以上のような構成において、受皿にはドア、焼網や調理物の荷重がかかるため摺動が重く、また調理物等から出る油煙や調理汁が加熱庫内に付着し、受皿と加熱庫との摺動性が悪化し、ドアの開閉動作によって受皿に溜まった調理汁がさらにこぼれたり、調理物が脱落したりという不具合、また、開閉動作による衝撃によって受皿や焼網の接触する音が、ガチャガチャという安っぽくて不快な音であるという課題があった。
【０００９】
これらの課題を解決する方法として、この開閉動作にモーターによる駆動部を設けて、水受皿の出入りにおいて最出部と最入部の近傍の出入り速度を他より遅くしたものがある（例えば、特許文献１参照）。また、受皿が庫内に収納されるときに繰出し用の戻り力を賦与する戻し装置を介して受皿を収納・ロックし、このロックを解除することによって自動的に受皿が繰出されるとともに繰出し速度を調整する調速装置を設けたものもある（例えば、特許文献２参照）。
【先行技術文献】
【特許文献】
【００１０】
【特許文献１】特開２００４−１４７８４１号公報
【特許文献２】実開平３−７７１０６号公報
【発明の概要】
【発明が解決しようとする課題】
【００１１】
しかしながら、前記従来の特許文献１に開示された焼成器およびそれを用いた調理器の構成では、モーターによる駆動を利用してドアの開閉動作を行う点において構成が複雑であり、特に、調理物の油煙や調理汁によって汚れる庫内に駆動部を設けている点で誤動作や開閉不具合を起こす可能性が大いにある。
【００１２】
また、モーターの速度を変えて減速する点や減速の速度に関しても具体的な開示に乏しく実現性の低いものである。
【００１３】
また、前記従来の特許文献２に開示されたグリルの受皿繰り出し装置については、ドアを開ける際の調速装置に関するものであり、ドアを閉める時の衝撃に関しての調速装置に関しての記載は乏しいものである。
【００１４】
特に、取り出し時の調理物が熱い状態であることや調理汁や油脂分が受皿に溜まっていることは使用者にとっては周知の事実であり、ドアを開ける動作について十分な注意を行うものであり、したがって、ドアを閉める時において十分な改善が必要なものである。
【００１５】
また、受皿の繰り出し連結部を調理庫内に設けている点についても特許文献１と同様に調理庫内の汚れに関する配慮に欠けるものであり、実現性は低いと言わざる得ないものである。
【００１６】
したがって、特許文献１ならびに特許文献２に開示された加熱調理器では根本的に改善がなされたものとはいえないものであった。
【００１７】
本発明は、前記従来の課題を解決するもので、特に、人が開閉動作することを前提に簡単な構成で、かつ、レールユニットを介して調理物の出し入れにおける摺動性を改善するとともに、調理庫内の汚れに対しても摺動性が悪化しないように配慮を行い、特に、ドアを閉める時に受皿に溜まった調理汁がこぼれたり、調理物が脱落したりという不具合、また、衝撃によって受皿や焼網の接触する音が、ガチャガチャという安っぽくて不快な音が発生しない使い勝手の良い品位の高い加熱調理器を提供することを目的とする。
【課題を解決するための手段】
【００１８】
前記従来の課題を解決するために、本発明の加熱調理器は、本体内部に収容され被調理物を加熱調理する加熱庫と、該加熱庫の前面に形成された開口部を引き出し式に開閉するドアと、加熱庫に収容される受皿と、本体定位置で加熱庫の外側に固定された固定レールおよび受皿を出し入れするための可動レールを有するレールユニットと、レールユニットの可動レールを連結し端部にドアを係止するドア支持体と、ドア支持体に係止もしくは固定され受皿を支持する受皿支持体と、ドアを閉じるときに可動レールを引込むための引込み手段を加熱庫の外側に備え、ドアの引込み時の衝撃を緩和するための減速手段を加熱庫の外側に設けたものである。
【００１９】
これによって、調理物の出し入れは、レールユニットによる摺動を用いてスムーズな動作を得るとともに、調理庫内の汚れに対しても摺動性が悪化しないよう調理庫の外側にレールユニットならびに引込み手段および減速手段を設けることによって、特に、ドアを閉
める時に受皿に溜まった調理汁がこぼれたり、調理物が脱落したりという不具合、また、衝撃によって受皿や焼網の接触する音が、ガチャガチャという安っぽくて不快な音が発生しなくなる。
【発明の効果】
【００２０】
本発明の加熱調理器は、特に人が開閉動作することを前提に簡単な構成でかつ、レールユニットを介して調理物の出し入れにおける摺動性を改善するとともに、調理庫内の汚れに対しても摺動性が悪化しないよう調理庫の外側にレールユニットならびに引込み手段および減速手段を設ける配慮を行い、特にドアを閉める時に受皿に溜まった調理汁がこぼれたり、調理物が脱落したりという不具合、また、衝撃によって受皿や焼網の接触する音が、ガチャガチャという安っぽくて不快な音が発生しない使い勝手の良い品位の高い加熱調理器を提供することができる。
【図面の簡単な説明】
【００２１】
【図１】本発明の実施の形態１における加熱調理器の斜視図
【図２】本発明の実施の形態１における加熱調理器の減速装置の拡大図
【図３】本発明の実施の形態１における加熱調理器の減速装置の拡大図
【図４】本発明の実施の形態１における加熱調理器の引込み手段の概略図
【図５】従来の加熱調理器の断面図
【発明を実施するための形態】
【００２２】
第１の発明は、本体内部に収容され被調理物を加熱調理する加熱庫と、該加熱庫の前面に形成された開口部を引き出し式に開閉するドアと、加熱庫に収容される受皿と、本体定位置で加熱庫の外側に固定された固定レールおよび受皿を出し入れするための可動レールを有するレールユニットと、該レールユニットの可動レールを連結し端部に前記ドアを係止するドア支持体と、該ドア支持体に係止もしくは固定され受皿を支持する受皿支持体と、前記ドアを閉じるときに前記可動レールを引込むための引込み手段を加熱庫の外側に備え、該引込み手段は前記可動レールに第１の磁石を設け、本体または前記固定レールに第２の磁石を設け、各々の前記磁石が対向するように配して磁石の吸引力を用いて引き込むとともに、ドアの引込み時の衝撃を緩和するための減速手段を加熱庫の外側に前記引込み手段とは別体に設け、前記ドアの閉位置近傍において前記引込み手段の引込み作用と前記減速手段の減速作用が同時に作用するようにしたものである。
【００２３】
これによって、調理物の出し入れはレールユニットによる摺動を用いてスムーズな動作を得るとともに、調理庫内の汚れに対しても摺動性が悪化しないよう調理庫の外側にレールユニットならびに引込み手段および減速手段を設けることによって、特に、ドアを閉める時に受皿に溜まった調理汁がこぼれたり、調理物が脱落したりという不具合、また、衝撃によって受皿や焼網の接触する音が、ガチャガチャという安っぽくて不快な音が発生しない使い勝手の良い品位の高い加熱調理器とすることができ、本体もしくは固定レールと可動レールに各々対向する様に磁石を配して引込むので、非接触のため半永久的に寿命が確保できるとともに、構成も簡単で安価にすることができる。また、引込み力の調整も磁石の種類や大きさによって自由に変えることができる。
【００２４】
ここで用いる引込み手段についてはコイルバネとカムを用いて引込むものが一般的であり固定レールに一体に組み込まれ、閉じるときは可動レールに爪等を配して引込み、開ける時はカムが外れる構成である。また、コイルバネの代わりに板バネ等を用いても構成可能である。
【００２５】
第２の発明は、特に、第１の発明の減速手段は、流体の摩擦抵抗を利用したピストン式のダンパーを用いたものである。
【００２６】
これによって、外径方向を小型化が可能となり、固定レールに一体化することができる。
【００２７】
また、減速装置の接触部分に樹脂やゴム等の緩衝材を設けることによって衝撃音の低減を図ることができるものである。
【００２８】
また、流体は水性や油性の液体のものや空気を用いることも可能である。
【００２９】
第３の発明は、特に、第１または第２の発明において、レールユニットと減速手段の互いの接触部分に磁石を反発するよう対向して設け、非接触による減速をおこなうものである。これによって、衝撃によって摩耗やかけ等の不具合が生じる可能性がある接触部分を非接触にすることができ、耐久寿命を延ばすことができるとともに、衝撃音を緩和することができる。
【００３０】
第４の発明は、特に、第１の発明の減速手段は、流体の摩擦抵抗を利用したギア式のダンパーを用い、レールユニットにギア式のダンパーとかみ合うための歯車機構を設けたものである。
【００３１】
これによって、ギア式の場合、減速するストロークを任意に長くすることが可能であり長く緩やかに減速させることができる。
【００３２】
また、用いる流体は水性や油性の液体のものや空気を用いることも可能である。
【００３３】
また、減速手段は、バネもしくはゴムなどの弾性体の弾力を用いたものである。これによって、比較的低衝撃の場合は構成が簡単で安価にすることができるものである。
【００３４】
また、減速手段は、金属や樹脂もしくはゴムなどの固体の摩擦抵抗を利用したものとすれば、比較的低衝撃の場合は構成が簡単で安価にすることができる。
【００３６】
また、減速手段は、磁石の反発力を利用したものとすれば、非接触にできるため耐久寿命が長く、磁石の形状で減速する力を自由に変えることが可能となる。また、構成が簡単で安価にすることができる。
【００３８】
以下、本発明の実施の形態について、図面を参照しながら説明する。なお、この実施の形態によって本発明が限定されるものではない。
【００３９】
（実施の形態１）
図１は、本発明の第１の実施の形態における加熱調理器の斜視図を示すものである。
【００４０】
図１において、加熱調理器は、本体１と、本体１前面に開口部を有し内部に収納された調理物２（図示せず）を加熱する加熱体３を内蔵した調理庫４と、調理庫４の開口部の内壁周囲に嵌め込まれ、本体に固定される前面パネル５（点線で図示）と、調理庫４の開口部の開閉を行うドア６と、調理庫４に収納される受皿７と、受皿７を保持する受皿支持体８と、調理庫４の外側に設けられ、受皿支持体８と連動する可動レール９と、可動レール９を保持し、かつ可動レール９を摺動させるとともに本体１内部に固定する固定レール１０とを具備する少なくとも１対のレールユニット１１と、レールユニット１１の可動レール９を連結し端部にドア６を係止するドア支持体１２と、ドア６を閉じるときに可動レー
ル９を引込むための引込み手段１３（点線で図示）を備え、ドア６を引き込む時の衝撃を緩和するための減速手段１４を設けて構成している。
【００４１】
レールユニット１１についてはボールを用いたスライドレールが適当であり、摺動性・耐久性も良好である。
【００４２】
これによって、調理物の出し入れはレールユニット１１による摺動を用いてスムーズな動作を得るとともに、調理庫４内の汚れに対しても摺動性が悪化しないよう調理庫４の外側にレールユニット１１ならびに引込み手段１３および減速手段１４を設ける配慮を行い、特にドア６を閉める時に受皿に溜まった調理汁がこぼれたり、調理物２が脱落したりという不具合、また、衝撃によって受皿７や焼網（図示せず）の接触する音が、ガチャガチャという安っぽくて不快な音が発生しない使い勝手の良い品位の高い加熱調理器を提供するものである。
【００４３】
また、摺動性の目安については調理物２を除いた状態で動作荷重で１〜５Ｎが適当であり、引込み手段１３による引き込み力については６〜２０Ｎ程度が適当である。したがって減速手段１４の減速については引き込み力６〜２０Ｎに対して動作荷重の１〜５Ｎに極力緩やかに減速することが望ましい。
【００４４】
また、調理庫４の外部にレールユニット１１および引込み手段１３や減速手段１４を用いることによって調理中の温度上昇の影響も受けることなく引込み手段１３や減速手段１４に安価で成形性の高い樹脂部品を使用することができる。
【００４５】
ここで用いる引込み手段１３（点線で図示）は、コイルバネとカムを用いて引込むものが一般的であり固定レール１０に一体に組み込まれ、閉じるときは可動レール９に爪等を配して引込み、開ける時はカムが外れる構成である。また、コイルバネの代わりに板バネ等を用いても構成可能である。
【００４６】
また、減速手段１４は、流体の摩擦抵抗を利用したピストン式のダンパーを用いたものである。用いる流体は水性や油性の液体のものや空気を用いることも可能である。油性の場合は特に耐熱性の高いシリコンオイル等を用いることも可能である。ピストン式の場合は外径方向を小型化が出来るメリットがあり、固定レール１０に一体化できるものである。
【００４７】
図２は、本発明の第１の実施の形態における加熱調理器の減速装置の拡大図を示すものである。
【００４８】
図２において、レールユニット１１の可動レール９の後端部と減速手段１４のピストン式のダンパーのピンの互いの接触部分に磁石１５を反発するよう対向して設け、非接触による減速をするものである。
【００４９】
特に接触部分は衝撃によって摩耗やかけ等の不具合が生じる可能性があり、非接触にすることによって耐久寿命を延ばす効果があるとともに、衝撃音を緩和する効果がある。
【００５０】
図３は、本実施の第１の形態における加熱調理器の減速装置の拡大図を示すものである。
【００５１】
図３において、減速手段１４は、流体の摩擦抵抗を利用したギア式のダンパー１６を用い、レールユニット１１の可動レール９にギア式のダンパー１６とかみ合うための歯車機構１７を設けたものである。
【００５２】
用いる流体は水性や油性の液体のものや空気を用いることも可能である。ギア式のダンパー１６の場合、減速するストロークを任意に長くすることが可能であり長く緩やかに減速させることができる。
【００５３】
また、減速手段１４は、バネもしくはゴムなどの弾性体の弾力を用いることもこと可能である。比較的低衝撃の場合は構成が簡単で安価にすることができるものである。
【００５４】
また、減速手段１４は、金属や樹脂もしくはゴムなどの固体の摩擦抵抗を利用することも可能である。比較的低衝撃の場合は構成が簡単で安価にすることができるものである。
【００５５】
図４は、本発明の第１の実施の形態における加熱調理器の引込み手段の概略図を示すものである。
【００５６】
図４において、引込み手段１３は、磁石の吸引力を用いて引込むものである。本体１もしくは固定レール１０に第２の磁石１９を設け、可動レール９に第１の磁石１８を設けて各々が対向する様に配して磁石の吸引力を用いて引込むものであり、非接触のため半永久的に寿命が確保できるとともに、構成も簡単で安価にすることができる。引込み力の調整も磁石の種類や大きさによって自由に変えることができる。
【産業上の利用可能性】
【００５７】
以上のように、本発明にかかる加熱調理器は、特にドアを閉める時に受皿に溜まった調理汁がこぼれたり、調理物が脱落したりという不具合、また、衝撃によって受皿や焼網の接触する音が、ガチャガチャという安っぽくて不快な音が発生しない使い勝手の良い品位の高い加熱調理器を提供するものであり、組み込み式加熱調理器はもちろんのこと、他の熱源の加熱調理器や、組み込み式以外の加熱調理器にも適用できる。
【符号の説明】
【００５８】
１  本体
２  調理物
３  加熱体
４  調理庫（加熱庫）
５  前面パネル
６  ドア
７  受皿
８  受皿支持体
９  可動レール
１０  固定レール
１１  レールユニット
１２  ドア支持体
１３  引込み手段
１４  減速手段（ピストン式のダンパー）
１５  磁石
１６  ギア式のダンパー
１７  歯車機構
【図１】
0005493701.tif 000002
【図２】
0005493701.tif 000003
【図３】
0005493701.tif 000004
【図４】
0005493701.tif 000005
【図５】
0005493701.tif 000006